【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
インターネットサービスを提供するために、ブロードバンド接続を介してホームネットワークをサービスプロバイダネットワークに接続するように適合された装置であって、前記装置は、送出接続については、第１のプロトコルに従った前記ホームネットワークのデータストリームを受信し、第２のプロトコルに従って前記データストリームを前記サービスプロバイダネットワークに送信し、入来接続についてはその逆をするためのメディアリレーを備え、前記メディアリレーは、
前記メディアリレーを前記ホームネットワークにリンク付けし、当該受信するデータストリームのメディアデータからシグナリングデータを分離するためのメディアデバイスインターフェースと、
前記第１のプロトコルに従った前記シグナリングデータを前記第２のプロトコルに従った前記シグナリングデータに変換するためのシグナリングスイッチと、
前記第１のプロトコルに従った前記メディアデータを前記第２のプロトコルに従った前記メディアデータに変換するためのメディアスイッチと、
前記メディアリレーを前記サービスプロバイダネットワークにリンク付けし、前記シグナリングスイッチからの前記シグナリングデータと前記メディアスイッチからの前記メディアデータとを結合するためのネットワークインターフェースと、
を含む、前記装置。
【請求項２】
前記シグナリングスイッチは、前記メディアデバイスインターフェースから前記メディアデータのメタデータ及び生データを受信し、前記メディアデバイスインターフェースは、送出接続に関する前記メディアスイッチに関する前記メディアデータの前記メタデータを生成するように適合され、前記ネットワークインターフェースは、前記メディアスイッチからの生メディアデータを有するメタデータを使用して送出接続に関する前記メディアデータを再生成し、入来接続に関してはその逆をする、請求項１に記載の装置。
【請求項３】
前記メディアスイッチは、多数の異なる入口接続ポイント及び多数の異なる出口接続ポイントを含み、前記メタデータは、前記入口接続ポイント及び前記出口接続ポイントのそれぞれ１つを選択するために、前記メディアスイッチによって使用されるソース及び宛先ポート数並びに／又は前記第１のプロトコル及び前記第２のプロトコル間の前記データストリームの任意の変換を定めるためのパラメータを含む、請求項２に記載の装置。
【請求項４】
前記メディアスイッチは、生データの接続に関するリレー接続ポイント、ＲＴＰ/ＲＴＣＰ（リアルタイム伝送プロトコル/リアルタイム移送制御プロトコル）接続ポイント、ファイル接続ポイント、ＤＳＰ（デジタル信号処理）接続ポイント、コード変換接続ポイント及び／又はマルチキャスト接続ポイントを含む、請求項１乃至３の何れかに記載の装置。
【請求項５】
前記接続ポイントの各々は、入口接続ポイント又は出口接続ポイントとすることができる、請求項４に記載の装置。
【請求項６】
前記第１のプロトコル及び前記第２のプロトコルは、同一又は異なる、請求項１乃至５の何れかに記載の装置。
【請求項７】
前記装置は、レジデンシャルゲートウェイ、エンタープライズゲートウェイ若しくはメディアゲートウェイ、セットトップボックス、携帯コンピュータ又はスマートフォンである、請求項１乃至６の何れかに記載の装置。
【請求項８】
前記メタデータは、前記第１のプロトコル及び前記第２のプロトコルの一種、及び／又は前記メディアデータを扱うためのパラメータを含む、請求項１乃至７の何れかに記載の装置。
【手続補正２】
【補正対象書類名】明細書
【補正対象項目名】００３１
【補正方法】変更
【補正の内容】
【００３１】
また、本発明の他の実施形態は、本発明の範囲から逸脱しない当業者によって利用されることができる。本発明は特に、ｘＤＳＬ伝送を使用するレジデンシャルゲートウェイに制限されず、任意の他の有線又は無線ブロードバンド技術にも適用可能であり、従って全ての種類の装置に関して使用することができる。本発明は、それ故、以下に添付の特許請求の範囲に属する。
［付記１］
インターネットサービスを提供するために、ブロードバンド接続（７）を介してホームネットワークをサービスプロバイダネットワーク（８）に接続するように適合された装置であって、前記装置は、送出接続については、第１のプロトコルに従った前記ホームネットワークのデータストリームを受信し、第２のプロトコルに従って前記データストリームを前記サービスプロバイダネットワーク（８）に送信し、入来接続についてはその逆をするためのメディアリレー（１）を備え、前記メディアリレー（１）は、
前記メディアリレーを前記ホームネットワークにリンク付けし、当該受信するデータストリームのメディアデータからシグナリングデータを分離するためのメディアデバイスインターフェース（２）と、
前記第１のプロトコルに従った前記シグナリングデータを前記第２のプロトコルに従った前記シグナリングデータに変換するためのシグナリングスイッチ（３）と、
前記第１のプロトコルに従った前記メディアデータを前記第２のプロトコルに従った前記メディアデータに変換するためのメディアスイッチ（４）と、
前記メディアリレーを前記サービスプロバイダネットワーク（８）にリンク付けし、前記シグナリングスイッチ（３）からの前記シグナリングデータと前記メディアスイッチ（４）からの前記メディアデータとを結合するためのネットワークインターフェース（５）と、
を含む、前記装置。
［付記２］
前記シグナリングスイッチ（３）は、前記メディアデバイスインターフェース（２）から前記メディアデータのメタデータ及び生データを受信し、前記メディアデバイスインターフェース（２）は、送出接続に関する前記メディアスイッチ（４）に関する前記メディアデータの前記メタデータを生成するように適合され、前記ネットワークインターフェース（５）は、前記メディアスイッチからの生メディアデータを有するメタデータを使用して送出接続に関する前記メディアデータを再生成し、入来接続に関してはその逆をする、付記１に記載の装置。
［付記３］
前記メディアスイッチ（４）は、多数の異なる入口接続ポイント及び多数の異なる出口接続ポイントを含み、前記メタデータは、前記入口及び出口接続ポイントのそれぞれ１つを選択するために、前記メディアスイッチ（４）によって使用されるソース及び宛先ポート数並びに／又は前記第１及び第２のプロトコル間の前記データストリームの任意の変換を定めるためのパラメータを含む、付記１又は２に記載の装置。
［付記４］
前記メディアスイッチ（４）は、生データ（２０）の接続に関するリレー接続ポイント、ＲＴＰ/ＲＴＣＰ（リアルタイム伝送プロトコル/リアルタイム移送制御プロトコル）接続ポイント（２１）、ファイル接続ポイント（２２）、ＤＳＰ（デジタル信号処理）接続ポイント（２３）、コード変換接続ポイント（２４）及び／又はマルチキャスト接続ポイント（２５）を含む、付記１乃至３の何れかに記載の装置。
［付記５］
前記接続ポイントの各々は、入口接続ポイント（２０−２６）又は出口接続ポイント（３０−３６）とすることができる、付記４に記載の装置。
［付記６］
前記第１のプロトコル及び前記第２のプロトコルは、同一又は異なる、付記１乃至５の何れかに記載の装置。
［付記７］
前記装置は、レジデンシャルゲートウェイ、エンタープライズゲートウェイ若しくはメディアゲートウェイ、セットトップボックス、携帯コンピュータ又はスマートフォンである、付記１乃至６の何れかに記載の装置。
［付記８］
前記メタデータは、前記第１及び第２のプロトコルの一種、及び／又は前記メディアデータを扱うためのパラメータを含む、付記１乃至７の何れかに記載の装置。